(57)【特許請求の範囲】
【請求項１】
音声信号の符号化を行う符号化手段と共に用いられ、高域周波数の信号成分を増幅させる特性を有するプレフィルタを有する音声信号符号化装置であって、
前記プレフィルタは、符号化手段と共に用いられ、前記高域周波数の信号成分を増幅させる特性を有する第一のプレフィルタと、前記高域周波数の信号成分を減衰させる特性を有する第二のプレフィルタとを直列接続させて構成され、
前記第一のプレフィルタは、特定の周波数が極となり、前記第二のプレフィルタは、前記特定の周波数が零点となるように構成されたことを特徴とする音声信号符号化装置。
【請求項２】
前記第一のプレフィルタは、前記音声信号符号化装置が処理できる前記音声信号の最大周波数が前記極となるように構成され、前記第二のプレフィルタは、前記最大周波数が前記零点となるように構成されたことを特徴とする請求項１に記載の音声信号符号化装置
【請求項３】
前記第一のプレフィルタ、及び、前記第二のプレフィルタは、Ｚ変換後の前記第一のプレフィルタの伝達関数と、Ｚ変換後の前記第一のプレフィルタの伝達関数及び前記Ｚ変換後の前記第二のプレフィルタの前記伝達関数の乗算結果とが、それぞれ分母のみにＺが存在する分数値として構成されることを特徴とする請求項１又は２に記載の音声信号符号化装置。
【請求項４】
請求項１乃至３の何れか一つに記載の音声信号符号化装置によって符号化された音声信号を復号させる音声信号復号装置であって、
音声信号の復号を行う復号手段と共に用いられ、高域周波数の信号成分を減衰させる特性を有するポストフィルタを備え、
ポストフィルタは、前記音声信号符号化装置の前記第一のプレフィルタの逆フィルタとして構成されたことを特徴とする音声信号復号装置。
【請求項５】
音声信号の符号化を行う符号化手順と共に用いられる、高域周波数の信号成分を増幅させる特性を有する周波数特性変換手順を有する音声信号符号化方法であって、
前記周波数特性変換手順においては、前記符号化手順と共に用いられ、前記高域周波数の信号成分を増幅させる特性を有する第一のプレフィルタにおいて行われる第一の変換手順と、前記高域周波数の信号成分を減衰させる特性を有する第二のプレフィルタにおいて行われる第二の変換手順とによって構成され、
前記第一の変換手順は、特定の周波数が極となった前記第一のプレフィルタにおいて処理が行われ、前記第二の変換手順は、前記特定の周波数が零点となるように構成された前記第二のプレフィルタにおいて処理が行われることを特徴とする音声信号符号化方法。
【発明の詳細な説明】
【技術分野】
【０００１】
本発明は、音声信号の符号化において音声信号の周波数特性を変換させる技術に関する。
【背景技術】
【０００２】
従来、音声信号の伝送等にあたり、伝送対象の音声信号を符号化する技術が知られている。そして、符号化の目的や符号化の対象となる音声信号の性質により、さまざまなフィルタが用いられることが知られている。例えば、電話帯域の音声信号を高能率に圧縮符号化する音声符号化技術において聴感上の音質を改善するために符号に重み付けを行う聴感重みフィルタを用いる構成が知られている（例えば、特許文献１参照）。
【先行技術文献】
【特許文献】
【０００３】
【特許文献１】特開平１０−６３２９７号公報
【発明の概要】
【発明が解決しようとする課題】
【０００４】
ここで、音声信号にはさまざまなノイズが混入する場合がある。しかし、上記特許文献１に記載の発明は、音声信号自体の聴感上の音質を改善することはできても、混入するノイズの影響を小さくすることはできない。
【０００５】
ここで、自然な音響に基づく音声信号は信号成分が周波数帯によって一定ではなく、特に、低域周波数帯に比べて高域周波数帯の信号成分が少なくなる傾向にある。これにより、音声信号は、低域周波数帯に比べて高域周波数帯の方が信号の持つエネルギー量が小さくなる傾向がある。そして、このような音声信号に対し、全周波数帯にわたって一様に歪みが生ずるような処理、例えば、歪みデータ圧縮のような符号化や、有線通信や無線通信のような伝送を行う場合、信号成分とエネルギー量の少ない高域周波数帯の音声信号の方が、信号の歪みに起因するノイズの影響を受けやすくなる。そして、このような周波数帯のＳ／Ｎ比が低下して、音質劣化の一因となっている。
【０００６】
そこで、符号化の前に、プレフィルタを用いて、音声信号の高域周波数帯を元の信号よりも増幅させたのちに符号化や伝送や復号等の処理を行い、復号後に、ポストフィルタを用いて、音声信号の増幅された高域周波数帯を減衰させて元の状態に戻すことで、ノイズの影響を減少させることが考えられる。
【０００７】
しかし、このような構成においては、特定の周波数（例えば、システムで処理される音声信号のとりうる最も高い周波数）にプレフィルタの極（信号の増幅率が理論上無限大になる部分のこと。）が形成される場合が多い。この場合、フィルタリング前の音声信号において、極や極近傍の周波数のノイズが混入した場合、プレフィルタにおいてノイズがほぼ無限大に増幅され、元の音声信号の再現が困難になり、システムに損傷を与え得るという問題がある。
【０００８】
本発明は上記課題に鑑みてなされたものであり、音声信号に対しノイズが与える悪影響を小さくしつつ、元の音声信号の再現性を保持し、システムの損傷を抑止できる音声信号符号化装置、音声信号復号装置、音声符号化方法を提供することを課題としている。
【課題を解決するための手段】
【０００９】
かかる課題を解決するために、請求項１に記載の発明は、音声信号の符号化を行う符号化手段と共に用いられ、高域周波数の信号成分を増幅させる特性を有するプレフィルタを有する音声信号符号化装置であって、前記プレフィルタは、符号化手段と共に用いられ、前記高域周波数の信号成分を増幅させる特性を有する第一のプレフィルタと、前記高域周波数の信号成分を減衰させる特性を有する第二のプレフィルタとを直列接続させて構成され、前記第一のプレフィルタは、特定の周波数が極となり、前記第二のプレフィルタは、前記特定の周波数が零点となるように構成されたことを特徴とする。
【００１０】
請求項２に記載の発明は、請求項１に記載の構成に加え、前記第一のプレフィルタは、最大周波数が前記極となるように構成され、前記第二のプレフィルタは、前記最大周波数が前記零点となるように構成されたことを特徴とする。
【００１１】
請求項３に記載の発明は、請求項１又は２に記載の構成に加え、前記第一のプレフィルタは、伝達関数をＺ変換した際に、該Ｚ変換後の前記伝達関数の分母のみにＺが存在する分数値として構成されると共に、前記Ｚ変換後の前記第一のプレフィルタの伝達関数と前記Ｚ変換後の前記第二のプレフィルタの前記伝達関数とを乗算したときに、分母のみにＺが存在する分数値として構成されることを特徴とする。
【００１２】
請求項４に記載の発明は、請求項１乃至３の何れか一つに記載の音声信号符号化装置によって符号化された音声信号を復号させる音声信号復号装置であって、音声信号の復号を行う復号手段と共に用いられ、高域周波数の信号成分を減衰させる特性を有するポストフィルタを備え、ポストフィルタは、前記音声信号符号化装置の前記第一のプレフィルタの逆フィルタとして構成されたことを特徴とする。
【００１３】
請求項５に記載の発明は、音声信号の符号化を行う符号化手順と共に用いられる、高域周波数の信号成分を増幅させる特性を有する周波数特性変換手順を有する音声信号符号化方法であって、前記周波数特性変換手順においては、前記符号化手順と共に用いられ、前記高域周波数の信号成分を増幅させる特性を有する第一のプレフィルタにおいて行われる第一の変換手順と、前記高域周波数の信号成分を減衰させる特性を有する第二のプレフィルタにおいて行われる第二の変換手順とによって構成され、前記第一の変換手順は、特定の周波数が極となった前記第一のプレフィルタにおいて処理が行われ、前記第二の変換手順は、前記特定の周波数が零点となるように構成された前記第二のプレフィルタにおいて処理が行われることを特徴とする。
【発明の効果】
【００１４】
請求項１、及び請求項５に記載の発明によれば、特定の周波数が極である第一のプレフィルタに特定の周波数が零点である第二のプレフィルタが直列に接続されていることにより、第一のプレフィルタの極や極近傍においてほぼ無限大の信号値に増幅された音声信号やノイズを第二のプレフィルタが減衰させる。このため、信号値やノイズが無限大の信号値として出力されて、元の音声信号が再現できなくなったり、信号値が無限大の音声信号により、システムが損傷を被ったりすることは抑止される。これにより、音声信号に対しノイズが与える悪影響を小さくしつつ、元の音声信号の再現性を保持し、システムの損傷を抑止できる。
【００１５】
請求項２に記載の発明によれば、音声信号の最大周波数やその近傍でほぼ無限大の信号値に増幅される、簡易な構成の第一のプレフィルタに対し、簡易な構成の第二のプレフィルタによって、ほぼ無限大に増幅された信号やノイズを的確に減衰させることができる。
【００１６】
請求項３に記載の発明によれば、第一のプレフィルタのＺ変換後の伝達関数と、第一のプレフィルタ及び第二のプレフィルタのＺ変換後の伝達関数の乗算結果とが、分母のみにＺが存在する分数値として構成されることにより、第一のプレフィルタ、第二のプレフィルタを、簡素なフィルタ構成で容易に制御を行えるものとして形成できる。
【００１７】
請求項４に記載の発明によれば、ポストフィルタを伝達関数が第一のプレフィルタの逆数として形成されるものとして構成できるので、プレフィルタの増幅特性に対応する減衰特性を備えた、簡素な構成のポストフィルタによって、高域周波数の信号成分が増幅された音声信号を確実に元の特性の音声信号に戻すことができる。
【図面の簡単な説明】
【００１８】
【図１】この発明の実施の形態に係る音声符号化・復号装置の全体構成を示す機能ブロック図である。
【図２】同上音声符号化・復号装置における、伝達関数ｆｅ（ｚ）のプレフィルタ、及び、伝達関数ｆｓ（ｚ）の第一のプレフィルタの周波数特性を示す図である。
【図３】同上音声符号化・復号装置における、伝達関数ｆｔ（ｚ）の第二のプレフィルタの周波数特性を示す図である。
【図４】同上音声符号化・復号装置における、伝達関数ｆａ（ｚ）のポストフィルタの周波数特性を示す図である。
【発明を実施するための形態】
【００１９】
［基本構成］
図１乃至図４にこの発明の実施の形態を示す。
【００２０】
図１は、この実施の形態に係る符号化・復号装置の全体構成を示す機能ブロック図である。
【００２１】
この実施の形態の符号化・復号装置１Ａは、音声信号の符号化や復号に用いられる。この実施の形態においては、符号化・復号装置１Ａによって処理される時系列信号として、ディジタル信号として生成された音声信号が適用される。なお、符号化・復号装置１Ａがアナログ・ディジタル変換部（図示せず）を備え、アナログ信号として供給された複数系列の音声信号をディジタル信号に変換したのちに圧縮処理を行い、また、解凍されたディジタルの音声信号をアナログ変換して出力する構成であってもよい。
【００２２】
この符号化・復号装置１Ａは、音声信号符号化装置１、音声信号復号装置２を備えている。音声信号符号化装置１と音声信号復号装置２とは、通信部３によって相互に信号やデータの送受信が可能となっている。
【００２３】
音声信号符号化装置１は、少なくとも一のＣＰＵ等の制御手段を備え、音声信号の符号化処理、例えば音声信号の信号量を減らすための各種処理を行う。音声信号復号装置２は、少なくとも一のＣＰＵ等の制御手段を備え、音声信号符号化装置１によって符号化された音声信号を復号し、符号化前の音声信号を復元するための各種処理を行う。通信部３は、信号やデータの送受信に用いられるシールド、ケーブル、無線通信装置などの伝送路や伝送機器、及び、音声信号符号化装置１や音声信号復号装置２の通信インターフェース等であって、音声信号符号化装置１、音声信号復号装置２相互間の信号やデータの送受信を行う。
【００２４】
音声信号符号化装置１は、「符号化手段」としての符号化部４とプレフィルタ５とを備えている。符号化部４は、音声信号の符号化を行う。具体的には、入力された音声信号を所定の方法で符号量を減少させて出力させる。
【００２５】
プレフィルタ５は、音声信号符号化装置１に入力された音声信号のフィルタリングを行う。即ち、入力された音声信号の周波数特性を変換させて出力し、符号化部４に音声信号を供給する。プレフィルタは、ＣＰＵにおいてプログラムが実行されることで機能を実現するものでもよいし、ハードウェアロジック等により実現されるものでもよい。
【００２６】
プレフィルタ５は、第一のプレフィルタ６と第二のプレフィルタ７とを備える。第一のプレフィルタ６と第二のプレフィルタ７とは、それぞれのフィルタ特性が直列に接続された態様でプレフィルタ５の機能が実現されるように構成されている。
【００２７】
音声信号復号装置２は、「復号手段」としての復号部８と、ポストフィルタ９とを備える。復号部８は、音声信号を復号する。具体的には、符号化部４によって符号化された音声信号の符号量を、元の音声信号と同じ（又はほぼ同等の）の符号量とし、符号化前の音声信号を復元するための処理を行う。ポストフィルタ９は、復号部８において復号された音声信号のフィルタリングを行い、フィルタリングされた音声信号復号装置２の外部に出力させる。ポストフィルタは、ＣＰＵにおいてプログラムが実行されることで機能を実現するものでもよいし、ハードウェアロジック等により実現されるものでもよい。
【００２８】
［プレフィルタのフィルタ特性］
プレフィルタ５を構成する第一のプレフィルタ６は、一次のディジタルフィルタである。第一のプレフィルタ６の伝達関数ｆｓ（ｚ）は、下記式（１）で表される。
0005817011.tif 000002
この伝達関数に示す特性を有することにより、第一のプレフィルタ６は、Ｚ平面上で、ナイキスト周波数に相当するＺ＝−１に極を持つ。そして、第一のプレフィルタ６は、入力された音声信号の高域周波数の信号成分を入力時よりも増幅して出力させる特性を有する。具体的には、図２に示す、伝達関数ｆｓ（ｚ）（点線表示）である第一のプレフィルタ６の周波数特性１０２は、「０．５」の位置の示す、音声信号符号化装置１で処理可能な音声信号の最も高い周波数（つまり、Ａ／Ｄ処理時のサンプリング周波数の半分の周波数）である最高周波数（以下単に「最高周波数」と称する。本明細書において同じ。）において、増幅度が理論上無限大になるように構成される。つまり、第一のプレフィルタ６のみによって音声信号を増幅した場合、最高周波数近傍においては、音声信号や混入したノイズは、ほぼ無限大の値に増幅されて出力されてしまう。
【００２９】
一方、プレフィルタ５を構成する第二のプレフィルタ７は、下記式（２）に示す定数τ
τ∈（０,１）・・・（２）
をパラメータとするディジタルフィルタである。第二のプレフィルタ７の伝達関数ｆｔ（ｚ）は、下記式（３）で表される。
0005817011.tif 000003
この伝達関数に示す特性を有することにより、第二のプレフィルタ７は、Ｚ＝−１に零点を有する。また、第二のプレフィルタ７は、ローパスフィルタとして機能する。そして、図３に示すように、伝達関数ｆｔ（ｚ）である第二のプレフィルタ７の周波数特性１０３は、大半の周波数帯（同図における、横軸の値が０〜４．５あたりまで）は増幅量（縦軸の値）が「１．０」で一定であり、高域（同図における、横軸の値が４．５あたり〜５．０まで）において増幅量が減少し、「０．５」の位置の示す最高周波数において、増幅度が０になるように構成される。
【００３０】
なお、第二のプレフィルタ７は、定数τが１に近いほどカットオフ周波数が高くなり、ナイキスト周波数付近の原信号の特性が保たれるが、その一方でフィルタリング後の信号のパワーが大きくなってしまう（即ち無限大近くに増幅されたノイズを抑制しにくくなる）というトレードオフの関係にあるため、プレフィルタ５の構成や用途に応じて定数τを適切な値に設定することが望ましい。
【００３１】
そして、プレフィルタ５は、第一のプレフィルタ６と第二のプレフィルタ７が直列に接続されて構成されている。そのため、プレフィルタ５の伝達関数ｆｅ（ｚ）は、第一のプレフィルタの伝達関数ｆｓ（ｚ）と第二のプレフィルタ７の伝達関数ｆｔ（ｚ）とを乗じた値となり、すなわち、式（４）で表されるものとなる。
0005817011.tif 000004
これにより、プレフィルタ５は、双１次ディジタルフィルタを形成することになる。図２に、伝達関数ｆｅ（ｚ）のプレフィルタ５の周波数特性１０１を示す。同図に示すように、プレフィルタ５の周波数特性１０１は、第一のプレフィルタ６の周波数特性１０２と同様、入力された音声信号の高域周波数の信号成分を入力時よりも増幅して出力させる特性を有する。ただし、図２に示す通り、プレフィルタ５（周波数特性１０１参照）は、第一のプレフィルタ６（周波数特性１０２参照）よりも高域周波数帯の増幅度が低くなり、最高周波数においても、増幅度が理論上無限大に至ることがないように構成されている。
【００３２】
このような周波数特性１０１を有することにより、プレフィルタ５によってフィルタリングされた音声信号は、第一のプレフィルタ６のみでフィルタリングした場合と同様に、高域周波数の信号成分を入力時よりも増幅して出力されるが、第一のプレフィルタ６のみでフィルタリングされた場合と異なり、最高周波数においても信号成分がほぼ無限大まで増幅されることはない。
【００３３】
なお、プレフィルタ５の増幅度は、式（４）に示す定数τの値を変化させることで適宜調節可能である。図２においては、この実施の形態の音声信号符号化装置１おける最適値として、式（４）に示す定数τを１５／１６に設定した、伝達関数ｆｅ（ｚ）の周波数特性１０１が表示されているが、定数τはこの値より上でも下でもよい。
【００３４】
この実施の形態においては、符号化部４で符号化する音声信号を上述のプレフィルタ５によってフィルタリングすることにより、音声信号の信号成分とエネルギー量が少ない高域周波数帯におけるＳ／Ｎ比の改善を図りつつ、理論値がほぼ無限大に増幅されたノイズ等によって元の音声信号の再現が困難になったり、システムが損傷されたりする事態を抑止できる。
【００３５】
また、プレフィルタ５は、式（４）に示すような簡素な式の双１次ディジタルフィルタとして構成されていることにより、簡素な構成で、かつ、音声信号符号化装置１の処理負荷を小さくしつつ、フィルタリング処理を行うことができる。
【００３６】
［ポストフィルタのフィルタ特性］
一方、ポストフィルタ９は、第一のプレフィルタ６の逆フィルタである。ポストフィルタ９の伝達関数ｆａ（ｚ）は、下記式（５）で表される。
ｆａ（ｚ）＝１＋ｚ−1・・・（５）
このポストフィルタ９もローパスフィルタとして機能する。具体的には、図４に示すとおり、伝達関数ｆａ（ｚ）のポストフィルタ９の周波数特性１０４は、周波数が上がる（同図の右側にいくにつれて）増幅度が漸減し、「０．５」の位置の示す最高周波数において、増幅度が０になるように構成される。
【００３７】
このポストフィルタ９は、上記式（５）に示す通り、１次のフィルタであり、（“Ｚ”に対応する値の）単純な加算によって実現されるため、フィルタリング時における、音声信号復号装置２の処理負荷が小さくて済む。また、単純な加算によって実現されることにより、フィルタリングの対象となる音声信号の少数点以下の値が整数に丸められた後であっても適用できるため、このポストフィルタ９において、整数丸めの量子化雑音も除去することができ、フィルタリング後の音声信号の音質を向上させることができる。
【００３８】
［処理手順］
次に、この実施の形態の符号化・復号装置１Ａの処理手順について説明する。
【００３９】
まず、符号化・復号装置１Ａに入力された音声信号は、音声信号符号化装置１に供給され、音声信号符号化装置１にて「音声信号符号化方法」の手順が行われる。
【００４０】
音声信号符号化装置１において、音声信号は、プレフィルタ５において周波数特性が変換される（周波数特性変換手順）。具体的には、プレフィルタ５を構成する、第一のプレフィルタ６において高域周波数の信号成分を増幅させ（第一の変換手順）、第二のプレフィルタ７において高域周波数の信号成分を減衰させる（第二の変換手順）。プレフィルタ５は、式（４）に示す伝達関数を有するので、プレフィルタ５の周波数特性変換手順を経た音声信号は、元の音声信号よりも高域周波数の信号成分が増幅された状態でプレフィルタ５から出力される。
【００４１】
プレフィルタ５から出力された音声信号は、符号化部４において符号化が行われ、信号量の少ない音声信号が生成される（符号化手順）。
【００４２】
符号化された音声信号は、音声信号符号化装置１から出力されて、通信部３を経て、音声信号復号装置２に供給される。
【００４３】
音声信号復号装置２において、符号化された音声信号は、復号部８において復号され、符号化される前の信号量の音声信号が生成される（復号手順）。
【００４４】
復号された音声信号は、ポストフィルタ９に供給される。ポストフィルタ９において、音声信号は、周波数特性が変換されて高域周波数の信号成分が減衰され、符号化・復号装置１Ａに入力された際とほぼ同様の周波数特性となる。そして、音声信号は符号化・復号装置１Ａから外部に出力される。
【００４５】
このような処理により、この実施の形態の符号化・復号装置１Ａにおいては、プレフィルタ５のフィルタリングによって高域周波数帯の信号成分を強調し、ポストフィルタ９によって高域周波数帯の信号成分を減衰させて音声信号の信号成分をほぼ元通りに復元させることにより、理論値がほぼ無限大に増幅されたノイズ等の発生による弊害を抑止しつつ音声のＳ／Ｎ比の改善を図ることができる。しかも、プレフィルタ５、ポストフィルタ９とも簡素な１次フィルタで構成されるので、少ない演算量でフィルタリングできるので符号化・復号装置１Ａが小さくて済む。
【００４６】
以上、この実施の形態においては、特定の周波数が極である第一のプレフィルタ６に特定の周波数が零点である第二のプレフィルタ７が直列に接続されていることにより、第一のプレフィルタ６の極や極近傍においてほぼ無限大の信号値に増幅された音声信号やノイズを第二のプレフィルタ７が減衰させる。このため、信号値やノイズが無限大の信号値として出力されて、元の音声信号が再現できなくなったり、信号値が無限大の音声信号により、システムが損傷を被ったりすることは抑止される。これにより、音声信号に対しノイズが与える悪影響を小さくしつつ、元の音声信号の再現性を保持し、システムの損傷を抑止できる。
【００４７】
この実施の形態においては、音声信号の最大周波数やその近傍でほぼ無限大の信号値に増幅される、簡易な構成の第一のプレフィルタ６に対し、簡易な構成の第二のプレフィルタ７によって、ほぼ無限大に増幅された信号やノイズを的確に減衰させることができる。
【００４８】
この実施の形態においては、第一のプレフィルタ６のＺ変換後の伝達関数と、第一のプレフィルタ６及び第二のプレフィルタ７のＺ変換後の伝達関数の乗算結果とが、分母のみにＺが存在する分数値として構成されることにより、第一のプレフィルタ６、第二のプレフィルタ７を、簡素なフィルタ構成で容易に制御を行えるものとして形成できる。
【００４９】
この実施の形態においては、ポストフィルタ９を伝達関数が第一のプレフィルタ６の逆数として形成されるものとして構成できるので、プレフィルタの増幅特性に対応する減衰特性を備えた、簡素な構成のポストフィルタによって、高域周波数の信号成分が増幅された音声信号を確実に元の特性の音声信号に戻すことができる。
【００５０】
なお、上記実施の形態においては、音声信号をディジタル信号とし、プレフィルタ５、ポストフィルタ９をそれぞれディジタルフィルタとして構成したが、これに限定されず、符号化・復号装置１Ａで処理する音声信号をアナログ信号とし、プレフィルタ５、ポストフィルタ９をアナログフィルタとして構成してもよい。
【００５１】
上記実施の形態においては、符号化・復号装置１Ａで処理する信号を音声信号としたが、これに限定されず、例えば動画の画像信号等、どのような信号であってもよい。
【００５２】
上記実施の形態において、音声信号は、音声信号符号化装置１から音声信号復号装置２に通信部３を経て通信されるものとしたが、これに限らず、例えば、音声信号符号化装置１と音声信号復号装置２とがデータベース等に接続されて、外部から入力されてデータベースに記録する音声信号を音声信号符号化装置１で処理し、データベースから取り出して外部に出力する音声信号を音声信号復号装置２で処理する構成としてもよい。
【００５３】
上記実施の形態においては、音声信号符号化装置１から音声信号復号装置２へ、通信部３を経て一方向に音声信号を送信するものとしたが、これに限らず、音声信号符号化装置１と音声信号復号装置２との機能を併有する構成が通信部３で接続され、それぞれ、通信部３に送信する信号を音声信号符号化装置１の構成で処理し、通信部３から受信した信号を音声信号復号装置２の構成で処理するものとしてもよい。
【００５４】
上記実施の形態においては、第一のプレフィルタ６の極と第二のプレフィルタ７の極とが、それぞれ最高周波数である構成としたが、これに限定されず、第一のプレフィルタ６の極と第二のプレフィルタ７の零点とが最高周波数以外の特定の周波数であってもよい（つまり、第一のプレフィルタ６と第二のプレフィルタ７とが、それぞれ、極や零点となる周波数が同一のバンドパスフィルタの構成であってもよい）。また、この実施の形態では、第一のプレフィルタ６、第二のプレフィルタ７がそれぞれ１次のディジタルフィルタで、プレフィルタ５が双１次ディジタルフィルタである構成としたが、フィルタの次数はこれに限定されず、例えば第一のプレフィルタ６、第二のプレフィルタがそれぞれ２次のディジタルフィルタで、プレフィルタ５が双２次ディジタルフィルタである構成などであってもよい。
【００５５】
上記実施の形態は本発明の例示であり、本発明が上記実施の形態のみに限定されることを意味するものではないことは、いうまでもない。
【符号の説明】
【００５６】
１・・・音声信号符号化装置
２・・・音声信号復号装置
４・・・符号化部（符号化手段）
５・・・プレフィルタ
６・・・第一のプレフィルタ
７・・・第二のプレフィルタ
８・・・復号部（復号手段）
９・・・ポストフィルタ
１０１，１０２，１０３，１０４・・・周波数特性
【要約】
【課題】ノイズが与える悪影響を小さくし、元の音声信号の再現性を保持し、システム損傷を抑止できる音声信号符号化装置、復号装置、符号化方法を提供する。
【解決手段】音声信号の符号化を行う符号化部４と共に用いられ、高域周波数の信号成分を増幅させる特性を有するプレフィルタ５を有する音声信号符号化装置１のプレフィルタ５は、符号化部４と共に用いられ、高域周波数の信号成分を増幅させる特性を有する第一のプレフィルタ６と、高域周波数の信号成分を減衰させる特性を有する第二のプレフィルタ７とを直列接続させて構成され、第一のプレフィルタ６は、特定の周波数が極となり、第二のプレフィルタ７は、前記特定の周波数が零点となるように構成される。
【選択図】図１【図１】
0005817011.tif 000005
【図２】
0005817011.tif 000006
【図３】
0005817011.tif 000007
【図４】
0005817011.tif 000008